(57)【要約】      （修正有）【課題】容易に使用でき、かつ化粧液の吸収効率に優れるフェイスマスクセットを提供する。【解決手段】フェイスマスクセット１０は、シート状のマスク本体１と、上記マスク本体に固定されている導電性パターン３と、上記導電性パターンに設けられている一対の端子部４ａ、４ｂと、上記一対の端子部に着脱可能に設けられる電源部材２とを備える。上記導電性パターンが、互いに連結された複数のリング部３ｘを有することによって、上記導電性パターンに電流を流すことで使用者の顔へのマッサージ効果を高めやすい。また、この構成によると、上記化粧液に含まれる有効成分を使用者の皮膚に浸透させやすい。【選択図】図１
0003232820.tif 000002
【実用新案登録請求の範囲】
【請求項１】
シート状のマスク本体と、
上記マスク本体に固定されている導電性パターンと、
上記導電性パターンに設けられている一対の端子部と、
上記一対の端子部に着脱可能に設けられる電源部材と
を備えるフェイスマスクセット。
【請求項２】
上記導電性パターンが、互いに連結された複数のリング部を有する請求項１に記載のフェイスマスクセット。
【請求項３】
上記導電性パターンが、上記一対の端子部のうちの一方の端子部が設けられている第１パターンと、上記第１パターンとは離間して配置され、上記一対の端子部のうちの他方の端子部が設けられている第２パターンとを有しており、
上記一対の端子部同士が近接して配置されている請求項１又は請求項２に記載のフェイスマスクセット。
【請求項４】
上記一対の端子部と上記電源部材とが磁力によって着脱可能に接続される請求項１、請求項２又は請求項３に記載のフェイスマスクセット。
【請求項５】
携帯端末との無線通信により上記電源部材から供給される電流の強度を調節可能な制御部をさらに備える請求項１から請求項４のいずれか１項に記載のフェイスマスクセット。
【考案の詳細な説明】
【技術分野】
【０００１】
本考案は、フェイスマスクセットに関する。
【背景技術】
【０００２】
化粧液が含浸されているフェイスマスクがスキンケアに用いられている。このフェイスマスクは、使用者の顔にあてがって用いられ、使用者の顔に有効成分を供給する。
【０００３】
また、今日では、有効成分の吸収効率を高めるべく、使用者の顔に電気的な刺激を与えることができるフェイスマスクも提案されている（特許文献１参照）。
【先行技術文献】
【特許文献】
【０００４】
【特許文献１】特表２０２０−５１１１６８号公報
【考案の概要】
【考案が解決しようとする課題】
【０００５】
特許文献１には、伝導性物質からなるポケット部を有するマスクシートが記載されている。特許文献１には、上記ポケット部に伝導性物質からなる挿入部材を挿入したうえで、この挿入部材に電気供給部を接続し、この電気供給部から上記ポケット部に電流を流すことで、使用者の顔に電気的な刺激を与えることができることが記載されている。
【０００６】
特許文献１に記載されているマスクシートは、挿入部材を介してポケット部に電流を流すことで、使用者の顔に電気的な刺激を与えるものである。
【０００７】
このマスクシートは、使用者の顔に電気的な刺激を与えるためには、上記挿入部材を上記ポケット部に挿入すると共に、上記電気供給部に設けられている固定部を上記挿入部材に固定することを要する。そのため、このマスクシートは、使用手順が煩雑である。
【０００８】
本考案は、このような事情に鑑みてなされたものであり、容易に使用でき、かつ化粧液の吸収効率に優れるフェイスマスクセットを提供することを目的とする。
【課題を解決するための手段】
【０００９】
上記課題を解決するためになされた本考案の一態様に係るフェイスマスクセットは、シート状のマスク本体と、上記マスク本体に固定されている導電性パターンと、上記導電性パターンに設けられている一対の端子部と、上記一対の端子部に着脱可能に設けられる電源部材とを備える。
【考案の効果】
【００１０】
本考案の一態様に係るフェイスマスクセットは、容易に使用でき、かつ化粧液の吸収効率に優れる。
【図面の簡単な説明】
【００１１】
【図１】図１は、本考案の一実施形態に係るフェイスマスクセットを示す模式図である。
【図２】図２は、図１のフェイスマスクセットの使用状態を示す模式図である。
【図３】図３は、図１のフェイスマスクセットとは異なる実施形態に係るフェイスマスクセットの使用状態を示す模式図である。
【考案を実施するための形態】
【００１２】
［本考案の実施形態の説明］
最初に本考案の実施態様を列記して説明する。
【００１３】
本考案の一態様に係るフェイスマスクセットは、シート状のマスク本体と、上記マスク本体に固定されている導電性パターンと、上記導電性パターンに設けられている一対の端子部と、上記一対の端子部に着脱可能に設けられる電源部材とを備える。
【００１４】
当該フェイスマスクセットは、上記マスク本体に化粧液を含浸させた状態で使用できる。当該フェイスマスクセットは、上記マスク本体に上記導電性パターンが固定されており、この導電性パターンには一対の端子部が設けられている。当該フェイスマスクセットは、上記マスク本体に配置されている上記一対の端子部に電源部材を接続することで、上記導電性パターンに電流を流すことができる。そのため、当該フェイスマスクセットは、容易に使用でき、かつ化粧液の吸収効率に優れる。
【００１５】
上記導電性パターンが、互いに連結された複数のリング部を有するとよい。このように、上記導電性パターンが、互いに連結された複数のリング部を有することによって、上記導電性パターンに電流を流すことで使用者の顔へのマッサージ効果を高めやすい。また、この構成によると、上記化粧液に含まれる有効成分を使用者の皮膚に浸透させやすい。
【００１６】
上記導電性パターンが、上記一対の端子部のうちの一方の端子部が設けられている第１パターンと、上記第１パターンとは離間して配置され、上記一対の端子部のうちの他方の端子部が設けられている第２パターンとを有しており、上記一対の端子部同士が近接して配置されているとよい。このように、上記導電性パターンが、上記一対の端子部のうちの一方の端子部が設けられている第１パターンと、上記第１パターンとは離間して配置され、上記一対の端子部のうちの他方の端子部が設けられている第２パターンとを有しており、上記一対の端子部同士が近接して配置されていることによって、上記電源部材のコンパクト化を図り、当該フェイスマスクセットの使用性を高めることができる。また、この構成によると、上記第１パターン及び上記第２パターンを介して、上記化粧液に含まれる有効成分を使用者の顔の全体に亘って行き渡らせやすい。
【００１７】
上記一対の端子部と上記電源部材とが磁力によって着脱可能に接続されるとよい。このように、上記一対の端子部と上記電源部材とが磁力によって着脱可能に接続されることによって、上記電源部材と上記一対の端子部とを容易かつ確実に取り付け及び取り外しすることができる。
【００１８】
当該フェイスマスクセットは、携帯端末との無線通信により上記電源部材から供給される電流の強度を調節可能な制御部をさらに備えるとよい。当該フェイスマスクセットは、携帯端末との無線通信により上記電源部材から供給される電流の強度を調節可能な制御部をさらに備えることで、例えば当該フェイスマスクセットの使用中であっても、使用者の嗜好等に基づいて電流の強度を容易に調節することができる。
【００１９】
［本考案の実施形態の詳細］
以下、適宜図面を参照しつつ、本考案の実施の形態を詳説する。
【００２０】
［第一実施形態］
＜フェイスマスクセット＞
図１に示すように、当該フェイスマスクセット１０は、シート状のマスク本体１と、電源部材２とを備える。また、当該フェイスマスクセット１０は、マスク本体１に固定されている導電性パターン３と、導電性パターン３に設けられている一対の端子部（第１端子部４ａ及び第２端子部４ｂ）とを備える。マスク本体１には化粧液が含浸されている。この化粧液は、使用前から予めマスク本体１に含浸されていてもよく、使用時にマスク本体１に含浸されてもよい。電源部材２は、一対の端子部４ａ、４ｂに着脱可能に設けられている。図２に示すように、当該フェイスマスクセット１０は、マスク本体１を使用者の顔Ｆにあてがい、一対の端子部４ａ、４ｂに電源部材２を取り付けた状態で使用される。当該フェイスマスクセット１０は、電源部材２から導電性パターン３に電流を流すことで、上記化粧液に含まれる有効成分を使用者の顔Ｆに浸透可能に構成されている。
【００２１】
（マスク本体）
マスク本体１は、例えば紙、フェルト、不織布等を用いて形成されている。マスク本体１に含まれる繊維としては、特に限定されないが、例えばレーヨン、キュプラ、テンセル等の再生セルロース繊維が挙げられる。
【００２２】
上述のように、マスク本体１には化粧液が含浸されている。上記化粧液としては、特に限定されるものではなく、例えば化粧水、美容液、乳液等が挙げられる。上記化粧液は、有効成分を含んでいる。上記有効成分としては、特に限定されるものではなく、例えば保湿剤、紫外線防止剤、美白剤等が挙げられる。上記化粧液は、例えば比較的低粘度の液状であってもよく、ゲル状であってもよい。
【００２３】
マスク本体１は、使用者の目、鼻孔、口に対応する位置にそれぞれ開口やスリットを有していてもよい。また、マスク本体１には、遠赤外線を発する鉱石や、抗菌剤等の添加剤が添加されていてもよい。
【００２４】
（導電性パターン）
導電性パターン３は、マスク本体１の表面、より詳しくは使用状態で使用者の顔Ｆと反対側に位置する面に形成されている。導電性パターン３は、導電性を有する金属又は合金を主成分とする。導電性パターン３の主成分としては、銀が好ましい。導電性パターン３は、例えば公知の印刷法を用いてマスク本体１の表面に形成される。
【００２５】
導電性パターン３は、電源部材２から電流が供給されることで、使用者の顔Ｆに対するマッサージ効果を高める。また、導電性パターン３は、電源部材２から電流が供給されることで、使用者の血流改善効果及び血流促進効果を高める。さらに、導電性パターン３は、電源部材２から電流が供給されることで、上記化粧液に含まれる有効成分を使用者の皮膚に浸透させる効果を高める。
【００２６】
導電性パターン３は、使用者の経穴（ツボ）に対応する位置に設けられていることが好ましい。この構成によると、上述のマッサージ効果等をより高めることができ、例えば使用者の細胞の再生を促しやすい。
【００２７】
導電性パターン３は、互いに連結された複数のリング部３ｘを有する。この構成によると、導電性パターン３を使用者の経穴に沿うように配置しやすい。その結果、導電性パターン３に電流を流すことによるマッサージ効果や上記化粧液に含まれる有効成分の浸透効果等を高めやすい。
【００２８】
導電性パターン３は、全体として略環状に配置されている。より詳しくは、導電性パターン３は、目及び口を含む使用者の顔Ｆの中心部を取り囲むように配置されている。導電性パターン３をこのように配置することで、複数のリング部３ｘを使用者の経穴に対応して配置しやすい。
【００２９】
導電性パターン３は、一対の端子部４ａ、４ｂのうちの第１端子部４ａが設けられている第１パターン３ａと、第１パターン３ａとは離間して配置され、一対の端子部４ａ、４ｂのうちの第２端子部４ｂが設けられている第２パターン３ｂとを有している。この構成によると、第１パターン３ａ及び第２パターン３ｂを介して、上記化粧液に含まれる有効成分を使用者の顔Ｆの全体に亘って行き渡らせやすい。
【００３０】
第１パターン３ａ及び第２パターン３ｂは、それぞれ略円弧状に構成されている。第１パターン３ａ及び第２パターン３ｂは、使用者の鼻に対応する部分を挟んで対向する位置でそれぞれ離間している。当該フェイスマスクセット１０は、第１パターン３ａ及び第２パターン３ｂが、それぞれ略円弧状に構成されていることで、上記化粧液に含まれる有効成分を使用者の顔Ｆの全体に亘って容易かつ確実に行き渡らせやすい。
【００３１】
（端子部）
第１端子部４ａ及び第２端子部４ｂは、導電性パターン３に固定されている。第１端子部４ａ及び第２端子部４ｂは、導電性パターン３と電源部材２とを電気的に接続するための接続端子である。第１端子部４ａ及び第２端子部４ｂは、互いに近接して配置されている。すなわち、第１端子部４ａ及び第２端子部４ｂは、第１パターン３ａ及び第２パターン３ｂの隣接する端部に設けられている。当該フェイスマスクセット１０は、第１端子部４ａ及び第２端子部４ｂ同士が近接して配置されていることによって、電源部材２のコンパクト化を図り、当該フェイスマスクセット１０の使用性を高めることができる。
【００３２】
第１端子部４ａ及び第２端子部４ｂは、電源部材２と接続される接続部を有する。上記接続部は、例えば円盤状である。
【００３３】
第１端子部４ａ及び第２端子部４ｂは、電源部材２と磁力によって着脱可能に接続されることが好ましい。すなわち、上記接続部は、磁性体を含んで構成されていることが好ましい。当該フェイスマスクセット１０は、電源部材２と第１端子部４ａ及び第２端子部４ｂとが磁力によって接続されることで、電源部材２と第１端子部４ａ及び第２端子部４ｂとを容易かつ確実に取り付け及び取り外しすることがきる。また、この構成によると、当該フェイスマスクセット１０の使用時に使用者が動いた場合でも、電源部材２と第１端子部４ａ及び第２端子部４ｂとの接続を維持しやすい。
【００３４】
（電源部材）
電源部材２は、第１端子部４ａ及び第２端子部４ｂと直接接続される。電源部材２は、例えば平面面積が１０ｃｍ２以下程度の略直方体状の携帯型電源部材である。
【００３５】
電源部材２は、充電可能な電池（不図示）を含む。図１に示すように、電源部材２は、第１端子部４ａ及び第２端子部４ｂと接続される接続部２ａを有する。また、電源部材２は、充電用のコネクタ（不図示）と、電流の供給のＯＮ、ＯＦＦを切り換えるためのスイッチ（不図示）とを有する。
【００３６】
上記コネクタとしては、例えばＵＳＢ端子が挙げられる。上記コネクタには、所定のケーブルやアダプタ等が接続される。電源部材２は、上記ケーブルやアダプタを介して充電可能に構成されている。
【００３７】
上記スイッチは、例えば押しボタンである。上記スイッチは、電流のＯＮ、ＯＦＦに加えて、電流の強度を調節可能に構成されていてもよい。
【００３８】
接続部２ａは、第１端子部４ａ及び第２端子部４ｂと磁力によって着脱可能に接続されることが好ましい。すなわち、接続部２ａは、磁性体を含んで構成されていることが好ましい。
【００３９】
＜利点＞
当該フェイスマスクセット１０は、マスク本体１に導電性パターン３が固定されており、この導電性パターン３には一対の端子部４ａ、４ｂが設けられている。当該フェイスマスクセット１０は、マスク本体１に配置されている一対の端子部４ａ、４ｂに電源部材２を接続することで、導電性パターン３に電流を流すことができる。そのため、当該フェイスマスクセット１０は、容易に使用でき、かつ化粧液の吸収効率に優れる。
【００４０】
［第二実施形態］
＜フェイスマスクセット＞
図３のフェイスマスクセット２０は、シート状のマスク本体１と、電源部材２とを備える。また、当該フェイスマスクセット２０は、マスク本体１に固定されている導電性パターン３と、導電性パターン３に設けられている一対の端子部とを備える。マスク本体１には化粧液が含浸されている。電源部材２は、上記一対の端子部に着脱可能に設けられている。当該フェイスマスクセット２０は、携帯端末１００との無線通信により電源部材２から供給される電流の強度を調節可能な制御部２５をさらに備える。携帯端末１００としては、例えばスマートフォンが挙げられる。当該フェイスマスクセット２０は、制御部２５を備えている以外は、図１のフェイスマスクセット１０と同様の構成とすることができる。そのため、以下では、主として制御部２５についてのみ説明する。
【００４１】
（制御部）
制御部２５は、例えば電源部材２内に設けられている。制御部２５は、携帯端末１００から送られる信号を受信可能なアンテナ（不図示）を有する。制御部２５は、携帯端末１００にインストールされたアプリケーションの動作に基づいて、電源部材２が供給する電流の強度を調節する。制御部２５は、電源部材２が供給する電流のＯＮ、ＯＦＦについても制御できるように構成されていてもよい。
【００４２】
当該フェイスマスクセット２０は、当該フェイスマスクセット２０の使用前後における水分、油脂、弾力等の使用者の肌状態を携帯端末１００に表示可能に構成されていてもよい。当該フェイスマスクセット２０は、例えば制御部２５によって電気抵抗を測定し、この電気抵抗を基に携帯端末１００に使用者の肌状態を表示するように構成されていてもよい。また、当該フェイスマスクセット２０は、携帯端末１００によって使用者の顔を撮影し、この撮影情報を基に携帯端末１００に使用者の肌状態を表示するように構成されていてもよい。
【００４３】
＜利点＞
当該フェイスマスクセット２０は、制御部２５を備えているので、例えば当該フェイスマスクセット２０の使用中であっても、使用者の嗜好等に基づいて電流の強度を容易に調節することができる。また、当該フェイスマスクセット２０は、上述のように上記一対の端子部と電源部材２とが磁力によって接続されるので、当該フェイスマスクセット２０の使用中に使用者が携帯端末１００を操作しても、使用者の動作に起因して上記一対の端子部と電源部材２との接続が解除され難い。
【００４４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４５】
例えば上記導電性パターンが互いに連結された複数のリング部を有する場合、この導電性パターンは、複数のリング部のみから構成されていてもよく、リング部以外の部分を有していてもよい。また、上記導電性パターンは、上記リング部を有しない構成とすることも可能である。例えば上記導電性パターンは、１又は複数の線状部から構成されていてもよい。
【００４６】
上記実施形態では、導電性パターンが、互いに離間して配置される第１パターン及び第２パターンを有する構成について説明した。但し、上記導電性パターンは、１つのパターンのみから構成されていてもよく、３以上のパターンに分離されていてもよい。また、上記導電性パターンが上記第１パターン及び上記第２パターンを有する場合でも、上記第１パターン及び上記第２パターンにおける端子部の配置は特に限定されるものではない。
【００４７】
上記一対の端子部と上記電源部材との接続手段は特に限定されるものではない。例えば上記一対の端子部と上記電源部材とは、スナップボタンの雄雌構造によって着脱可能に接続されていてもよい。
【産業上の利用可能性】
【００４８】
以上のように、本考案の一態様に係るフェイスマスクセットは、化粧液の吸収効率を高めるのに適している。
【符号の説明】
【００４９】
１  マスク本体
２  電源部材
２ａ  接続部
３  導電性パターン
３ａ  第１パターン
３ｂ  第２パターン
３ｘ  リング部
４ａ  第１端子部
４ｂ  第２端子部
１０、２０  フェイスマスクセット
２５  制御部
１００  携帯端末
Ｆ  顔
【図１】
0003232820.tif 000003
【図２】
0003232820.tif 000004
【図３】
0003232820.tif 000005